(57)【要約】【課題】既存のＣＤチェンジャーコントロール付センターユニットを活用して、機構的なディスクチェンジなしに非常に多数のかつ希望する聴覚・視覚的情報を自在に再生することができるハードディスクプレーヤを提供する。【解決手段】ディスクチェンジャーと接続可能でチェンジャーの制御と共にチェンジャー内の記録媒体に記録された情報を出力するセンターユニットと、前記センターユニットに前記チェンジャーと交換可能に接続されるＨＤＤプレーヤ本体ユニットとを備え、該ＨＤＤプレーヤ本体ユニットには、ＨＤＤユニットと、前記センターユニットからのチェンジャー制御用信号をＨＤＤプレーヤ本体ユニットの制御に変換する手段と、ＨＤＤユニットに記録された情報をセンターユニットでの再生用信号に変換する手段とを有する。【選択図】図１
2005276260.tif 000002
【特許請求の範囲】
【請求項１】
ディスクチェンジャーと接続可能でチェンジャーの制御と共にチェンジャー内の記録媒体に記録された情報を出力するセンターユニットと、前記センターユニットに前記チェンジャーと交換可能に接続されるＨＤＤプレーヤ本体ユニットとを備え、該ＨＤＤプレーヤ本体ユニットには、ＨＤＤユニットと、前記センターユニットからのチェンジャー制御用信号をＨＤＤプレーヤ本体ユニットの制御に変換する手段と、ＨＤＤユニットに記録された情報をセンターユニットでの再生用信号に変換する手段とを有することを特徴とするハードディスクプレーヤ。
【請求項２】
前記ＨＤＤユニットはパソコン等に接続可能なコネクタを備え、ＨＤＤプレーヤ本体ユニットに挿脱可能に接続されていることを特徴とする請求項１に記載のハードディスクプレーヤ。
【請求項３】
ＨＤＤユニットには、複数のサブディレクトリが形成され、そのサブディレクトリにデータが記録されている請求項１に記載のハードディスクプレーヤ。
【発明の詳細な説明】
【技術分野】
【０００１】
本発明は主として車両に搭載されるハードディスクプレーヤに関する。
【背景技術】
【０００２】
車両に搭載されるカーオーディオにおいては、ラジオ再生やＣＤ／ＭＤ、ＤＶＤなどを再生できるセンターユニットと称される機器が汎用されている。この場合、ラジオやＣＤ／ＭＤ、ＤＶＤのプレーヤーはセンターユニットに内蔵されている場合もあり、独立していてセンターユニットに接続して再生できるものもある。
また、このセンターユニットに、複数枚ＣＤを収納し再生可能な再生装置（オートチェンジャーと称する）を接続して再生することも行われており、この場合、センターユニットは再生するためのコマンドをオートチェンジャーに送信し、オートチェンジャーではそれに基づく再生や制御が行われ、一般的に、このオートチェンジャーにＣＤデジタル信号を音声信号として聞くためにＤ／Ａ変換器が設けられている。
【０００３】
しかし、従来のＣＤチェンジャーは６枚程度のＣＤオーディオディスクを機構的にチェンジして音楽再生を行うものであるから、オーディオＣＤに記録されている曲数しか演奏することができず、またディスクチェンジに時間がかかるという問題があった。
【特許文献１】特開２００１−２２９６１５号公報
【特許文献２】特開２００３−２２６１５号公報
【発明の開示】
【発明が解決しようとする課題】
【０００４】
本発明は前記のような問題点を解消するためになされたもので、その目的とするところは、既存のＣＤチェンジャーコントロール付センターユニットを活用して、機構的なディスクチェンジなしに非常に多数のかつ希望する聴覚・視覚的情報を自在に再生することができるハードディスクプレーヤを提供することにある。
【課題を解決するための手段】
【０００５】
上記目的を達成するため本発明のハードディスクプレーヤは、ディスクチェンジャーと接続可能でチェンジャーの制御と共にチェンジャー内の記録媒体に記録された情報を出力するセンターユニットと、前記センターユニットに前記チェンジャーと交換可能に接続されるＨＤＤプレーヤ本体ユニットとを備え、該ＨＤＤプレーヤ本体ユニットには、ＨＤＤユニットと、前記センターユニットからのチェンジャー制御用信号をＨＤＤプレーヤ本体ユニットの制御に変換する手段と、ＨＤＤユニットに記録された情報をセンターユニットでの再生用信号に変換する手段とを有することを特徴としている。
【発明の効果】
【０００６】
本発明によれば、ＨＤＤユニットを用いるため既存のチェンジャーの１０倍近い情報ファイルをもつことができ、かつ、ＨＤＤプレーヤ本体ユニットが、センターユニットからのチェンジャー制御用信号をＨＤＤプレーヤ本体ユニットの制御に変換する手段と、ＨＤＤユニットに記録された情報をセンターユニットでの再生用信号に変換する手段とを有しているため、コントロール機能付センターユニットを有効に活用し既存のオートチェンジャーと同じ操作を行うことにより、ディスクチェンジ時間を短くして多数の希望する情報を再生することができるという効果が得られる。
【発明を実施するための最良の形態】
【０００７】
好適には、前記ＨＤＤユニットはパソコン等に接続可能なコネクタを備え、ＨＤＤプレーヤ本体ユニットに挿脱可能に接続されている。
これによれば、家庭用のパソコンに編集・記録されている音楽情報や映像情報のファイルを活用でき、そうしたファイルを車内に持ち込んで再生させることができるので、使用者の好みにマッチした聴覚・視覚的な環境で楽しむことができるという効果が得られる。
【０００８】
ＨＤＤユニットには、複数のサブディレクトリが形成され、そのサブディレクトリにデータが記録されている。
これによれば、サブディレクトリが既存のＣＤに対応したものとなるので、家庭用のパソコンに編集・記録されている音楽情報や映像情報のデータを整然と管理し、再生できる効果が得られる。
【実施例１】
【０００９】
以下、添付図面を参照して本発明の実施例を説明する。
図１ないし図３は本発明によるハードディスクプレーヤを音楽情報の再生システムに適用した一実施態様を示しており、図１において、１はセンターユニット、すなわちこの例では、従来ＣＤチェンジャーコントロール機能付のカーステレオであり、ディスクチェンジャーと接続可能でチェンジャーの制御と共にチェンジャー内の記録媒体に記録された情報を出力する機構を有している。
【００１０】
２は外部ＢＵＳであり、アナログオーディオとチェンジャーコントロール信号、電源、ＧＮＤで構成される。
３は従来のオートチェンジャーに置き代わって接続されるＨＤＤプレーヤ本体ユニットであり、少なくとも、着脱可能に接続されるハードディスクユニット（以下、ＨＤＤユニットと称す）４と、前記センターユニット１からのチェンジャー制御用信号をＨＤＤプレーヤ本体ユニットの制御に変換する手段としてのマイコン３１と、ＨＤＤユニット４に記録された情報をセンターユニット１での再生用信号に変換する手段３２とを有している。
【００１１】
各部を詳細に説明すると、ＨＤＤユニット４は、小型のハードディスク部４０と、ハードディスクのインターフェース仕様であるＡＴＡ仕様のデータをＵＳＢ仕様のデータに変換するＡＴＡ／ＵＳＢ変換部４１、および、ＵＳＢ−ＨＵＢコントローラとのインターフェース及びＵＳＢファンクション機能を持ったＵＳＢＩ／Ｆ部４２を有している。
前記ＵＳＢＩ／Ｆ部４２は、図２に示すようにコネクタ４ａを有し、このコネクタ４ａでＨＤＤプレーヤ本体ユニット３から脱着できる構成になっており、ＵＳＢＩ／Ｆの採用により、いわゆるプラグインアウトができ、ＨＤＤユニット３の自動認識ができるようになっている。
【００１２】
前記ＨＤＤユニット４は、図３に示すように、コネクタ４ａとＵＳＢケーブル５を介して家庭用などのパソコン６のＵＳＢコネクタ６０に接続可能である。
これにより、パソコン６に記録されている音楽データ（ＣＤオーディオ、ＭＰ３、ＷＭＡなど）を、ＵＳＢを介してＨＤＤユニット内の前記ハードディスク部４０にコピーすることができるようになっている。
【００１３】
前記ＨＤＤプレーヤ本体ユニット３は、機械的にはＨＤＤユニット４の挿脱口３ａ、イジェクター３ｂ、インジケータ３ｂなどを有し、内部には、センターユニット１からのチェンジャー制御用信号をＨＤＤプレーヤ本体ユニットの制御に変換する手段としてのマイコン３１のほか、ＵＳＢ−ＨＵＢ３２と、外部ＢＵＳインターフェース３３を有しており、ＵＳＢ−ＨＵＢ３２は、ＨＤＤユニット４をコントロールし、また、ＨＤＤユニット４からデータを読み込むために、ＵＳＢホストコントロール機能とＵＳＢインターフェース機能を持っている。
【００１４】
ＨＤＤユニット４のハードディスク部４０に記録された情報をセンターユニット１での再生用信号に変換する手段３２は、デコーダー部３２０と、Ｄ／Ａ部３２１とオーディオインターフェース部３２２を有している。
前記のようにＵＳＢ−ＨＵＢ３２で読み込まれたデータは、ＣＤオーディオの場合はデコーダー部３２０を経由してＤ／Ａ部３２１へ送られ、またＭＰ３やＷＭＡなどの圧縮オーディオの場合は、デコーダー部３２０にて復調され、Ｄ／Ａ部３２１にてデジタルデータをアナログに変換され、オーディオインターフェース３２２を経由して外部ＢＵＳ２にアナログオーディオとして転送される。
【００１５】
なお、ＨＤＤプレーヤ本体ユニット３におけるファイル構成は図４のようなディレクトリ構成であり、ルートディレクトリの中に第１から第６のサブディレクトリを持ち、それぞれのサブディレクトリは第１から第９９のファイルを持つ。従って、家庭用のパソコン６からＨＤＤユニット４にデータをコピーする場合は、このファイル構成に従って行う。
【００１６】
センターユニット１からのプレイ、ストップ、ディスクチェンジなどのコントロール信号は、外部ＢＵＳインターフェース３３を介してマイコン３１に入力する。
コントロール信号は従来の６枚ＣＤチェンジャーを操作するコマンドと同じ仕様である。つまり、既存のＣＤチェンジャーコントロール機能付センターユニットを使用できる。このマイコン３１でセンターユニット１からの従来のＣＤチェンジャーコントロール信号を、ＨＤＤユニット４をコントロールする仕様に変換する。
【００１７】
詳述すると、従来のＣＤチェンジャーコントロールコマンドは、１）ＣＤチェンジャーモード選択、２）ディスクＮｏ．１〜Ｎｏ．６の選択、３）トラックナンバー１〜９９の選択、４）プレイ、５）ストップの変換であったが、本発明では、１）ハードディスク部に電源供給を開始、ルートディレクトリを選択、２）サブディレクトリ１〜６を選択、３）サブディレクトリ内のファイル１〜９９を選択、４）選択したサブディレクトリ内のファイルのデータ読み込み、５）選択したサブディレクトリ内のファイルのデータ読み込み停止、ハードディスク部の電源供給停止というコマンドに変換するのである。
【００１８】
これにより従来のＣＤチェンジャーをハードディスクプレーヤに置き換えできるので、センターユニットではオートチェンジャーと同じ操作を行うことにより、ＨＤＤユニット４のハードディスク部４０に収録されている多量の音楽データを再生することができる。
また、本発明では、ＨＤＤユニット４がＨＤＤプレーヤ本体ユニット３と脱着してパソコン６等と接続可能であるため、音楽用データ（ＣＤオーディオデータ、ＭＰ３データ、ＷＭＡデータなど）をＵＢＳ対応のハードディスクにコピーすることにより、６００曲程の音楽再生ができる。また、パソコン６を使ってハードディスク４０内に記録されている音楽情報などの編集も自在に行える。
【００１９】
なお、実施態様では記録されている信号は音楽情報（オーディオ情報）としているが「デコーダ」、「Ｄ／Ａ」、「オーディオインターフェース」を映像用にすることにより、映像情報を再生する装置にも適用できる。
【図面の簡単な説明】
【００２０】
【図１】本発明にかかるハードディスクプレーヤーの一例を示すシステム構成図である。
【図２】本発明ディスクプレーヤーの構造を模式的に示す斜視図である。
【図３】本発明ディスクプレーヤーの利用状態を示す説明図である。
【図４】本発明ディスクプレーヤーのファイル構成例を示す説明図である。
【符号の説明】
【００２１】
１  センターユニット
３  ＨＤＤプレーヤ本体ユニット
４  ＨＤＤユニット
６  パソコン
３１  チェンジャー制御用信号をＨＤＤプレーヤ本体ユニットの制御に変換する手段
３２  再生用信号に変換する手段   
４０ハードディスク部  
４１  ＡＴＡ／ＵＳＢ変換部
４２  ＵＳＢＩ／Ｆ部
【図１】
2005276260.tif 000003
【図２】
2005276260.tif 000004
【図３】
2005276260.tif 000005
【図４】
2005276260.tif 000006